(57)【要約】【課題】電気自動車の乗員の負担を軽減した電気自動車の走行支援システムを提供する。【解決手段】記憶部２３は、充電スタンド３０の位置情報を記憶する。電気自動車１０の充電判断部２７は、測位部２１が求めた現在地からの走行予定距離と、電池残量測定部２２が求めたバッテリ１１の残容量から推定される走行可能距離をもとに、充電の要否を判断する。候補抽出部２８は、充電判断部２７によって充電が必要と判断された場合に、記憶部２３に記憶された充電スタンド３０の位置情報をもとに、測位部２１が求めた現在地から走行可能距離の範囲内にある充電スタンド３０を抽出する。報知部２４は、充電判断部２７の判断結果、および、候補抽出部２８によって抽出された充電スタンド３０の位置情報を報知する。【選択図】図１
2015094695.tif 000002
【特許請求の範囲】
【請求項１】
電気自動車の現在地を求める測位部と、
前記電気自動車が備えるバッテリの残容量を求める電池残量測定部と、
前記電気自動車の充電設備の位置情報を記憶する記憶部と、
前記測位部が求めた現在地からの走行予定距離、および、前記電池残量測定部が求めた残容量から推定される走行可能距離をもとに、充電の要否を判断する充電判断部と、
前記充電判断部によって充電が必要と判断された場合に、前記記憶部に記憶された前記充電設備の位置情報をもとに、前記測位部が求めた現在地から前記走行可能距離の範囲内にある前記充電設備を抽出する候補抽出部と、
前記充電判断部の判断結果、および、前記候補抽出部によって抽出された前記充電設備の位置情報を報知する報知部とを備えることを特徴とする電気自動車の走行支援システム。
【請求項２】
前記電気自動車の乗員が前記充電設備を選択するために操作する操作部と、
前記操作部を用いて選択された前記充電設備に対して前記充電設備の利用を予約する予約信号を送信する第１通信部とを備えたことを特徴とする請求項１記載の電気自動車の走行支援システム。
【請求項３】
前記充電設備に、前記第１通信部から送信された前記予約信号を受信する第２通信部と、前記第２通信部が受信した前記予約信号の予約内容を表示する表示部とが設けられたことを特徴とする請求項２記載の電気自動車の走行支援システム。
【請求項４】
前記候補抽出部は、前記測位部が求めた現在地から前記走行可能距離の範囲内にある前記充電設備を前記記憶部から抽出すると、抽出した前記充電設備まで走行するのに要する所要時間を求め、
前記報知部は、前記候補抽出部によって抽出された前記充電設備の位置情報と前記所要時間とを対応付けて表示することを特徴とする請求項１乃至３の何れか１項に記載の電気自動車の走行支援システム。
【請求項５】
前記走行予定距離は、出発地から目的地を経由して前記出発地に戻ってくるまでの走行距離であることを特徴とする請求項１乃至４の何れか１項に記載の電気自動車の走行支援システム。
【発明の詳細な説明】
【技術分野】
【０００１】
本発明は、電気自動車の走行支援システムに関する。
【背景技術】
【０００２】
近年、電気自動車が普及しつつあるが、電気自動車の充電設備の数が少ないため、電気自動車のユーザは、バッテリの残容量と充電設備の設置場所とを気にしながら走行する必要があった。そこで、電気自動車の現在地の情報をもとに、現在地の近くにある充電スタンド（充電設備）の位置を運転者に知らせるようにした電気自動車の充電制御システムが提案されている（例えば特許文献１参照）。
【先行技術文献】
【特許文献】
【０００３】
【特許文献１】特開２０１３−１０９７６４号公報
【発明の概要】
【発明が解決しようとする課題】
【０００４】
特許文献１に記載された充電制御システムは、現在地の近くにある充電スタンドを運転者に知らせているだけで、バッテリを充電する必要があるか否かは運転者が判断していた。そのため、運転者は、バッテリの残容量と、次回充電するまでに走行する距離とをもとに、どの時点で充電するかを判断する必要があり、運転者にとって負担であった。
【０００５】
本発明は上記課題に鑑みて為され、電気自動車の乗員の負担を軽減した電気自動車の走行支援システムを提供することを目的とする。
【課題を解決するための手段】
【０００６】
本発明に係る電気自動車の走行支援システムは、測位部と、電池残量測定部と、記憶部と、充電判断部と、候補抽出部と、報知部とを備えることを特徴とする。前記測位部は電気自動車の現在地を求める。前記電池残量測定部は、前記電気自動車が備えるバッテリの残容量を求める。前記記憶部は、前記電気自動車の充電設備の位置情報を記憶する。前記充電判断部は、前記測位部が求めた現在地からの走行予定距離、および、前記電池残量測定部が求めた残容量から推定される走行可能距離をもとに、充電の要否を判断する。前記候補抽出部は、前記充電判断部によって充電が必要と判断された場合に、前記記憶部に記憶された前記充電設備の前記位置情報をもとに、前記測位部が求めた現在地から前記走行可能距離の範囲内にある前記充電設備を抽出する。前記報知部は、前記充電判断部の判断結果、および、前記候補抽出部によって抽出された前記充電設備の前記位置情報を報知する。
【０００７】
この走行支援システムにおいて、前記電気自動車の乗員が前記充電設備を選択するための操作部と、前記操作部を用いて選択された前記充電設備に対して前記充電設備の利用を予約する予約信号を送信する第１通信部を備えることも好ましい。
【０００８】
この走行支援システムにおいて、前記充電設備に、前記第１通信部から送信された前記予約信号を受信する第２通信部と、前記第２通信部が受信した前記予約信号の予約内容を表示する表示部とが設けられることも好ましい。
【０００９】
この走行支援システムにおいて、以下の構成を備えることも好ましい。前記候補抽出部は、前記測位部が求めた現在地から前記走行可能距離の範囲内にある前記充電設備を前記記憶部から抽出すると、抽出した前記充電設備まで走行するのに要する所要時間を求める。前記報知部は、前記候補抽出部によって抽出された前記充電設備の位置情報と前記所要時間とを対応付けて表示する。
【００１０】
この走行支援システムにおいて、前記走行予定距離は、出発地から目的地を経由して前記出発地に戻ってくるまでの走行距離であることも好ましい。
【発明の効果】
【００１１】
本発明によれば、充電判断部が、走行予定距離とバッテリの残容量から求めた走行可能距離とを比較することによって充電が必要と判断した場合、候補抽出部が、現在地から走行可能距離の範囲内にある充電設備を抽出して、報知部から報知させている。したがって、電気自動車の乗員は、報知部の報知内容から充電が必要なことと、充電設備の位置情報を把握でき、走行中に充電の要否を判断したり、充電設備の場所を探したりする乗員の負担を軽減することができる。
【図面の簡単な説明】
【００１２】
【図１】本実施形態の走行支援システムの概略的なシステム構成図である。
【図２】本実施形態の走行支援システムにおける電気自動車の動作を説明するフローチャートである。
【図３】本実施形態の走行支援システムにおける充電スタンドの動作を説明するフローチャートである。
【発明を実施するための形態】
【００１３】
本発明に係る電気自動車の走行支援システムを図１〜図３に基づいて説明する。
【００１４】
図１は走行支援システムの概略的なシステム構成図であり、電気自動車１０と、電気自動車１０の充電設備である３カ所の充電スタンド３０Ａ，３０Ｂ，３０Ｃを備える。以下の説明において、個々の充電スタンドを特定して説明する場合は充電スタンド３０Ａ、充電スタンド３０Ｂ、充電スタンド３０Ｃと表記し、全ての充電スタンドを総称して説明する場合は充電スタンド３０と表記する。
【００１５】
充電スタンド３０は、ショッピングモール、役所、病院などの駐車場や、時間貸しの駐車場などに設置されている。充電スタンド３０は、接続コネクタの形状さえ一致すれば、任意の電気自動車１０が接続可能であり、充電量に応じた対価を支払えば自由に利用することができる。なお、図１には充電スタンド３０が３カ所しか図示されていないが、充電スタンド３０は電気自動車１０が１回の充電で走行可能な距離を考慮して複数箇所に整備されているものとする。ただし、現状では、電気自動車１０の充電スタンド３０は、給油所のように数が多くなく、地域によって充電スタンド３０の数にばらつきがあるため、従来、電気自動車１０の乗員は充電スタンド３０の場所を気にしながら運転する必要があった。
【００１６】
電気自動車１０は、バッテリ１１と、走行用の電気モータ１２と、モータ駆動部１３と、充電回路１４を備える。モータ駆動部１３は、運転手の運転操作に応じて、バッテリ１１に蓄えられた電力で電気モータ１２を駆動する。充電回路１４は、バッテリ１１を充電する際に充電ケーブル（図示せず）を介して充電スタンド３０に電気的に接続され、充電スタンド３０から供給される電力でバッテリ１１を充電する。本実施形態の電気自動車１０は、原動機として電気モータ１４のみを備えたＥＶ（Electric Vehicle）であるが、プラグインハイブリッド車（ＰＨＥＶ：Plug in Hybrid Electric Vehicle）でもよい。なお電気自動車１０は４輪の電気自動車に限らず、２輪電気自動車や、３輪以上の電気自動車でもよい。
【００１７】
また電気自動車１０は、マイコン２０と、測位部２１と、電池残量測定部２２と、記憶部２３と、報知部２４と、操作部２５と、第１通信部２６とをさらに備える。マイコン２０は組み込みのプログラムを実行することによって、充電判断部２７と、候補抽出部２８の機能を実現している。なお、電気自動車１０には制御用のマイコンが多数搭載されており、マイコン２０はそのうちの一つである。
【００１８】
測位部２１は、例えば全地球測位システム（ＧＰＳ：global positioning system）の受信機能を有し、複数のＧＰＳ衛星から受信した情報をもとに現在地の位置情報（経度、緯度の情報）を求める。
【００１９】
電池残量測定部２２は、例えばバッテリ１１の電池電圧を測定した結果をもとに、バッテリ１１の残容量を測定する。
【００２０】
記憶部２３は、電気的に書き換え可能な不揮発性メモリ（例えばＥＥＰＲＯＭ（Electrically Erasable and Programmable Read Only Memory）やフラッシュメモリなど）からなる。この記憶部２３には、複数箇所に設けられた充電スタンド３０の位置情報が予め登録されている。また、記憶部２３には、個々の充電スタンド３０に割り当てられたアドレス情報や、電気自動車１０に割り当てられた個別の識別情報（例えば車台番号など）も予め登録されている。
【００２１】
報知部２４は、例えば液晶パネルのような表示装置からなり、マイコン２０によって表示内容が制御される。
【００２２】
操作部２５は、例えば報知部２４を構成する液晶パネルの表面に取り付けられたタッチパネルからなり、電気自動車１０の乗員が所望の操作を行うために使用される。操作部２５による操作としては、目的地を入力するための操作や、充電スタンド３０を複数の候補の中から選択する操作や、選択した充電スタンド３０に充電の予約を入れるための操作などがある。なお、報知部２４および操作部２５はナビゲーションシステム（図示せず）と共用してもよく、ナビゲーションシステムにおいて操作部２５を操作して目的地を入力すると、入力された目的地の情報がマイコン２０に入力されるようにしてもよい。
【００２３】
第１通信部２６は、通信事業者が提供する無線通信網４０に接続される無線通信機能を有し、無線通信網４０を介して充電スタンド３０との間でデータ通信を行う。
【００２４】
充電判断部２７は、測位部２１が求めた現在地からの走行予定距離、および、電池残量測定部２２が求めた残容量から推定される走行可能距離をもとに、充電の要否を判断する。
【００２５】
候補抽出部２８は、充電判断部２７によって充電が必要と判断された場合に、記憶部２３に記憶された充電スタンド３０の位置情報をもとに、測位部２１が求めた現在地から走行可能距離の範囲内にある充電スタンド３０を抽出する。
【００２６】
ここで、マイコン２０は、充電判断部２７の判断結果、および、候補抽出部２８によって抽出された充電スタンド３０の位置情報を表示部２４に表示させている。これにより、電気自動車１０の乗員に対して、充電の要否や抽出した充電スタンド３０の位置情報を報知することができる。
【００２７】
次に、充電スタンド３０の構成について説明する。複数箇所に設定された充電スタンド３０は共通の構成を有しているので、充電スタンド３０Ａを例に説明を行い、他の充電スタンド３０Ｂ，３０Ｃについては説明を省略する。
【００２８】
充電スタンド３０Ａは、マイコン３１と、第２通信部３２と、充電器３３と、充電制御部３４と、表示部３５とを備える。
【００２９】
マイコン３１は組み込みのプログラムを実行することによって、充電スタンド３０Ａの全般的な制御を行う。
【００３０】
第２通信部３２は、無線通信網４０に接続される無線通信機能を有し、無線通信網４０を介して電気自動車１０との間で通信を行う。
【００３１】
充電器３３は、充電ケーブルを介して接続された電気自動車１０に電力を供給して、電気自動車１０を充電する。
【００３２】
充電制御部３４は、マイコン３１からの制御信号に応じて、充電器３３から電気自動車１０への給電状態を制御する。
【００３３】
表示部３５は、例えば表示ランプ、或いは、液晶ディスプレイなどのディスプレイ装置からなり、充電器３３の予約状況などを表示する。
【００３４】
次に、本実施形態の走行支援システムによる支援動作について図２及び図３のフローチャートを参照して説明する。
【００３５】
出発時あるいは経路の途中で、電気自動車１０の乗員が操作部２５を操作して目的地を入力すると、入力された目的地の情報が操作部２５からマイコン２０に入力される（図２のステップＳ１）。マイコン２０の充電判断部２７は、目的地の情報が入力されると、電池残量測定部２２からバッテリ１１の残容量の測定値を取り込み（ステップＳ２）、残容量をもとに走行可能距離を推定する（ステップＳ３）。また、充電判断部２７は、測位部２１から現在地の位置情報を取り込み（ステップＳ４）、現在地から目的地までの走行予定距離を算出し（ステップＳ５）、走行可能距離と走行予定距離を比較することで充電の要否を判断する（ステップＳ６）。なお、充電判断部２７は、現在地から目的地までの直線距離を走行予定距離として求めてもよいし、ナビゲーションシステムが保有するマップ情報をもとに、現在地から目的地までの経路を検索し、その経路での走行距離を走行予定距離として求めてもよい。また、充電判断部２７は、出発地から目的地までの片道の行程で走行予定距離を求めてもよいし、往復の行程で走行予定距離を求めてもよい。すなわち、出発地から目的地を経由して出発地に戻ってくる行程の場合、充電判断部２７は、出発地から目的地を経由して出発地に戻ってくるまでの走行距離を走行予定距離として求めればよい。
【００３６】
ステップＳ６で充電が不要であると充電判断部２７が判断した場合、マイコン２０は処理を終了して、目的地の情報が入力されるのを待機する状態となる。
【００３７】
一方、ステップＳ６で充電が必要であると充電判断部２７が判断した場合、マイコン２０の候補抽出部２８は、現在地から走行可能距離の範囲内にある充電スタンド３０の位置情報を記憶部２３から抽出する（ステップＳ７）。候補抽出部２８は、抽出した充電スタンド３０までの距離を平均速度で割ることによって、充電スタンド３０に到着するまでの所要時間を求める（ステップＳ８）。そして、候補抽出部２８は、目的地に行くまでに充電が必要なことと、抽出した充電スタンド３０の位置情報および所要時間を報知部２４に表示させる（ステップＳ９）。
【００３８】
また、候補抽出部２８は、上記の表示とともに、充電スタンド３０の利用を予約するか否かを電気自動車１０の乗員に入力させるための入力画面を報知部２４に表示させ、乗員に対し、充電スタンド３０を予約するか否かを入力させる。
【００３９】
電気自動車１０の乗員は、報知部２４の表示内容を見て充電スタンド３０で充電するか否かを判断し、充電すると判断した場合は報知部２４に表示された充電スタンドの中から、所望の充電スタンド３０を指定して、予約する操作を行う（ステップＳ１０）。報知部２４には、充電スタンド３０の位置情報と所要時間とが対応付けて表示されているので、電気自動車１０の乗員は、充電スタンド３０の位置や、充電スタンド３０までの所要時間を考慮して、予約する充電スタンド３０を選択することができる。
【００４０】
マイコン２０は、操作部２５から充電スタンド３０を予約する操作入力があると、指定された充電スタンド３０のアドレス情報を記憶部２３から読み出す。そして、マイコン２０は、充電スタンド３０のアドレス情報を宛先アドレスとし、予約申し込みの情報と、充電スタンド３０までの所要時間から求めた到着予定時刻と、自機の識別情報を含めた予約信号を第１通信部２６から無線送信させる（ステップＳ１１）。
【００４１】
一方、充電スタンド３０では、第２通信部３２が、無線通信網４０を経由して第１通信部２６から送信された予約信号を受信すると、受信した予約信号をマイコン３１に出力する（図３のステップＳ２１）。マイコン３１は、第２通信部３２から入力された予約信号に含まれる宛先アドレスと自機のアドレス情報を比較する（ステップＳ２２）。マイコン３１は、宛先アドレスと自機のアドレス情報が一致しなければ、受信した信号を破棄し、宛先アドレスと自機のアドレス情報が一致すれば、予約信号に含まれる予約申し込みの情報と到着予定時刻と識別情報を取り込み、以下の処理を行う。
【００４２】
予約信号に含まれる宛先アドレスと自機のアドレス情報が一致した場合（ステップＳ２２のＹｅｓ）、マイコン３１は、充電器３３の予約状況を確認する（ステップＳ２３）。マイコン３１は、指定された到着予定時刻の前後の一定時間内に予約が入っていなければ（ステップＳ２３のＮｏ）、電気自動車１０からの予約を受理し、受理信号を第２通信部３２から予約元の電気自動車１０に返送させる（ステップＳ２４）。予約元の電気自動車１０のマイコン２０は、予約先の充電スタンド３０からの受理信号を第１通信部２６が受信すると、予約が完了したと判断し、予約の処理を終了する。
【００４３】
充電スタンド３０のマイコン３１は、利用予約を受理すると、電気自動車１０から送信された到着予定時刻に、充電器３３の利用予約が入ったことを表示部３５に表示させる（図３のステップＳ２５）。また、到着予定時刻までの時間が所定時間（例えば１時間）よりも短くなると、マイコン３１は、表示部３５に予約車以外の使用を停止することを表示させ、充電制御部３４を制御して充電器３３の使用を停止させる。この時点で電気自動車１０の充電中であれば、マイコン３１は、現在充電中の電気自動車１０の充電が終了した時点で、充電制御部３４を制御して充電器３３の使用を停止させる（ステップＳ２６）。
【００４４】
その後、電気自動車１０が予約先の充電スタンド３０に到着し、電気自動車１０の乗員が充電器３３に電気自動車１０を接続すると（ステップＳ２７）、充電器３３から充電制御部３４を介してマイコン３１に電気自動車１０の接続を通知する信号が出力される。マイコン３１は、電気自動車１０の接続を通知する信号が入力されると、第２通信部３２を制御して第１通信部２６との間で近距離の無線通信を行わせ、電気自動車１０から識別情報を取り込む。マイコン３１は、電気自動車１０から取り込んだ識別情報を、予約を受け付けた電気自動車１０の識別情報と比較する（ステップＳ２８）。充電器３３に接続された電気自動車１０の識別情報が予約を受け付けた電気自動車１０の識別情報と一致すると、マイコン３１は、充電制御部３４に許可信号を出力し、充電制御部３４は充電器３３から電気自動車１０への充電を許可する（ステップＳ２９）。そして、電気自動車１０の乗員が所定の支払い手続きを行うと、充電器３３から電気自動車１０への充電が開始され、電気自動車１０のバッテリ１１が充電される。
【００４５】
なお、ステップＳ２８の判断で識別情報が一致しなければ、マイコン３１は、予約を受理した電気自動車１０ではない別の電気自動車１０が充電器３３に接続されたと判断し、充電制御部３４に不許可信号を出力する（ステップＳ３１）。この場合、充電制御部３４は充電器３３の使用を停止させており、充電器３３に接続された電気自動車１０への充電は行われない。マイコン３１は、充電器３３が予約中で使用できない旨の表示画面を表示部３５に表示させており、電気自動車１０の運転手に、順番待ちをするか別の充電スタンド３０に移動するように促すことができる。
【００４６】
また、ステップＳ２３の判断で、到着予定時刻の前後の一定時間内に既に予約が入っていた場合、マイコン３１は、予約を受け付けなかったことを示す不受理信号を予約元の電気自動車１０に第２通信部３２から返送させて（ステップＳ３０）、処理を終了する。この場合、予約元の電気自動車１０のマイコン２０は、予約先の充電スタンド３０からの不受理信号を第１通信部２６が受信すると、予約に失敗したと判断し、ステップＳ７に戻って予約が完了するまで充電スタンド３０を予約する処理をやり直す。
【００４７】
以上説明したように、本実施形態の走行支援システムは、測位部２１と、電池残量測定部２２と、記憶部２３と、充電判断部２７と、候補抽出部２８と、報知部２４とを備えることを特徴とする。測位部２１は電気自動車１０の現在地を求める。電池残量測定部２２は、電気自動車１０が備えるバッテリ１１の残容量を求める。記憶部２３は、電気自動車１０を充電するための充電スタンド３０（充電設備）の位置情報を記憶する。充電判断部２７は、測位部２１が求めた現在地からの走行予定距離、および、電池残量測定部２２が求めた残容量から推定される走行可能距離をもとに、充電の要否を判断する。候補抽出部２８は、充電判断部２７によって充電が必要と判断された場合に、記憶部２３に記憶された充電スタンド３０の位置情報をもとに、測位部２１が求めた現在地から走行可能距離の範囲内にある充電スタンド３０を抽出する。報知部２４は、充電判断部２７の判断結果、および、候補抽出部２８によって抽出された充電スタンド３０の位置情報を報知する。
【００４８】
これにより、充電判断部２７が、走行可能距離と走行予定距離とを比較することによって充電が必要と判断した場合、候補抽出部２８が、現在地から走行可能距離の範囲内にある充電スタンド３０を抽出して、報知部２４から報知させている。したがって、電気自動車１０の乗員は、報知部２４の報知内容から充電が必要なことと、充電スタンド３０の位置情報を把握でき、運転中に充電の要否を判断したり、充電スタンド３０の場所を探したりする乗員の負担を軽減することができる。
【００４９】
この走行支援システムにおいて、電気自動車１０の乗員が充電スタンド３０を選択するための操作部２５と、操作部２５を用いて選択された充電スタンド３０に対して充電スタンド３０の利用を予約する予約信号を送信する第１通信部２６を備えることも好ましい。
【００５０】
これにより、電気自動車１０の乗員は複数の充電スタンド３０から所望の充電スタンド３０を選択することができ、料金やサービスなどを考慮して充電スタンド３０を選択できるから、選択の自由度が高まり、利便性が向上する。電気自動車１０の乗員が所望の充電スタンド３０を選択すると、選択された充電スタンド３０の利用を予約する予約信号が第１通信部２６から送信されるので、充電スタンド３０で充電を開始するまでの待ち時間を短縮でき、バッテリ１１の消耗が抑制される。また、充電の待ち時間を短縮することによって、電気自動車１０の稼働率が向上するという利点もある。また、待ち時間が発生すると、電気自動車１０の乗員は他の充電スタンド３０を利用するようになるが、充電の予約を受け付けることで、客が他の充電スタンド３０に流れていくのを減らすことができ、充電スタンド３０の稼働率が向上する。
【００５１】
この走行支援システムにおいて、充電スタンド３０に、第１通信部２６から送信された予約信号を受信する第２通信部３２と、第２通信部３２が受信した予約信号の予約内容を表示する表示部３５とが設けられることも好ましい。
【００５２】
表示部３５に予約内容が表示されるので、充電スタンド３０が予約されていることを知らずに、別の電気自動車１０の乗員が割り込んで充電スタンド３０を利用する事態を回避できる。したがって、予約を行った電気自動車１０の乗員は、予約先の充電スタンド３０に到着後、すぐに電気自動車１０を充電することができる。
【００５３】
この走行支援システムにおいて、以下の構成を備えることも好ましい。候補抽出部２８は、測位部２１が求めた現在地から走行可能距離の範囲内にある充電スタンド３０を記憶部２３から抽出すると、抽出した充電スタンド３０まで走行するのに要する所要時間を求める。報知部２４は、候補抽出部２８によって抽出された充電スタンド３０の位置情報と所要時間とを表示する。
【００５４】
電気自動車１０の乗員は、充電スタンド３０の設置場所を示す位置情報に加えて、充電スタンド３０まで走行するのに要する所要時間も把握できるので、設置場所や所要時間を考慮して充電スタンド３０を選択することができ、利便性がさらに向上する。
【００５５】
この走行支援システムにおいて、走行予定距離は、出発地から目的地を経由して出発地に戻ってくるまでの走行距離でもよい。片道の行程に比べて長距離となる往復の行程でも、運転中に充電の要否を判断したり、充電スタンド３０の場所を探したりする乗員の負担を軽減することができる。
【００５６】
ところで、候補抽出部２８によって複数の充電スタンド３０が選択された場合、報知部２４には複数の充電スタンド３０の位置情報や所要時間が並べて表示されるのであるが、表示の順番を以下のような方法で決定してもよい。
【００５７】
例えば、記憶部２３に、各々の充電スタンド３０について充電料金の情報を記憶させておき、報知部２４が、抽出した複数の充電スタンド３０を充電料金の安い順番に並べ替えて表示してもよい。また、記憶部２３に、電気自動車１０の運転者が好んで利用する充電スタンド３０を優先枠として登録しておき、抽出した充電スタンド３０の中に優先枠に登録された充電スタンド３０があれば、この充電スタンド３０を先頭に表示させるようにしてもよい。
【００５８】
また、記憶部２３に、各々の充電スタンド３０について提供サービス（例えば、充電量に応じて、景品などと交換可能なポイントを付与するポイントサービスなど）の情報を記憶させておいてもよい。報知部２４は、抽出した充電スタンド３０の位置情報および所要時間に加えて、記憶部２３に記憶された提供サービスの情報を表示する。電気自動車１０の乗員は、報知部２４の報知内容から各々の充電スタンド３０の提供サービスを把握でき、提供サービスを考慮して利用する充電スタンド３０を選択することができる。
【符号の説明】
【００５９】
１０  電気自動車
１１  バッテリ
１２  電気モータ
２１  測位部
２２  電池残量測定部
２３  記憶部
２４  報知部
２５  操作部
２６  第１通信部
２７  充電判断部
２８  候補抽出部
３０  充電スタンド（充電設備）
３２  第２通信部
３３  充電器
３５  表示部
【図１】
2015094695.tif 000003
【図２】
2015094695.tif 000004
【図３】
2015094695.tif 000005